(57)【要約】【課題】並列に接続されたフィルタによる互いの通過特性への影響を抑えた多周波信号重畳・分波方式を提供する。【解決手段】多周波信号を同一線路１４，２４に重畳して伝送するシステムにおいて、ハイパスフィルタ（ＨＰＦ）とローパスフィルタ（ＬＰＦ）を組み合わせたフィルタ５１，５２，５３，５４，６１，６２，６３，６４を用いて多周波信号を重畳・分波することを特徴とする。【選択図】図３
2007259180.tif 000002
【特許請求の範囲】
【請求項１】
多周波信号を同一線路に重畳して伝送するシステムにおいて、ハイパスフィルタとローパスフィルタを組み合わせたフィルタを用いて多周波信号を重畳・分波することを特徴とする多周波信号重畳・分波方式。
【発明の詳細な説明】
【技術分野】
【０００１】
本発明は、多周波信号を同軸ケーブル等の同一線路に重畳して伝送するシステムにおける多周波信号重畳・分波方式に関するものである。
【背景技術】
【０００２】
図１に１８ＧＨｚ無線アクセスシステムの構成図を示す。１８ＧＨｚ無線アクセスシステムは、ＯＤＵ（屋外装置）１１とパラボラアンテナ１２とＩＤＵ（屋内装置）１３で構成される第１送受信装置１０およびＯＤＵ（屋外装置）２１とパラボラアンテナ２２とＩＤＵ（屋内装置）２３で構成される第２送受信装置２０からなる。
【０００３】
ＯＤＵ１１はＲＦ部１１ａ，ＩＦ部１１ｂ，制御部１１ｃを備え、ＩＤＵ１３は電源部１３ａ，ＩＦ部１３ｂ，制御部１３ｃを備え、ＯＤＵ１１のＩＦ部１１ｂとＩＤＵ１３のＩＦ部１３ｂ間において、送信や受信、制御などの多周波信号を同軸ケーブル１４等の同一線路に重畳して伝送している。
【０００４】
ＯＤＵ２１はＲＦ部２１ａ，ＩＦ部２１ｂ，制御部２１ｃを備え、ＩＤＵ２３は電源部２３ａ，ＩＦ部２３ｂ，制御部２３ｃを備え、ＯＤＵ２１のＩＦ部２１ｂとＩＤＵ２３のＩＦ部２３ｂ間において、送信や受信、制御などの多周波信号を同軸ケーブル２４等の同一線路に重畳して伝送する。
【０００５】
図２は、図１におけるＯＤＵ１１のＩＦ部１１ｂとＩＤＵ１３のＩＦ部１３ｂ間およびＯＤＵ２１のＩＦ部２１ｂとＩＤＵ２３のＩＦ部２３ｂ間の多周波信号重畳・分波方式を示す図である。
【０００６】
ＩＦ部１１ｂ，２１ｂ，１３ｂ，２３ｂは、重畳・分波フィルタ３０を持ち、送信や受信、制御などの多周波信号としては、例えば、送信信号を２９０ＭＨｚ、受信信号を１３０ＭＨｚ、制御信号を１.２５ＭＨｚ、３.１２５ＭＨｚとし、同軸ケーブル１４，２４等の同一線路に重畳して伝送する。
【０００７】
図４に従来の多周波信号重畳・分波方式の図を示す（文献公知発明に係るものではない）。送信、受信や制御などの多周波信号を同軸ケーブル１４，２４等の同一線路に重畳して伝送するシステムでは、一般的に回路の入出力部にバンドパスフィルタ（ＢＰＦ）を持ち、信号の重畳・分波を行っている。
【０００８】
バンドパスフィルタ（ＢＰＦ）を用いた方式では、ＩＤＵ側では、並列に接続された多周波周波数ｆ１，ｆ２，ｆ３，…，ｆｎのｎ個のバンドパスフィルタ（ＢＰＦ）４１，４２，４３，…，４ｎを持ち、同軸ケーブル１４，２４からの多周波重畳信号ｆ１，ｆ２，ｆ３，…，ｆｎを、各信号に分波する。
【０００９】
ＯＤＵ側では、並列に接続された多周波周波数ｆ１，ｆ２，ｆ３，…，ｆｎのｎ個のバンドパスフィルタ（ＢＰＦ）４１，４２，４３，…，４ｎを持ち、バンドパスフィルタ（ＢＰＦ）４１，４２，４３，…，４ｎを通過した多周波周波数を、同軸ケーブル１４，２４等の同一線路に重畳してＩＤＵ側に伝送する。
【発明の開示】
【発明が解決しようとする課題】
【００１０】
多周波信号を扱う場合、バンドパスフィルタ（ＢＰＦ）を用いた重畳・分波方式では通常、信号数分のバンドパスフィルタ（ＢＰＦ）が並列に接続される。このとき、並列に接続されたバンドパスフィルタ（ＢＰＦ）は互いに影響し合い、フィルタ特性に影響する。この方式では、１つの信号周波数に対し１つのバンドパスフィルタ（ＢＰＦ）が必要であるため、信号数が多くなればなるほどフィルタの数も増え、フィルタ同士の影響が顕著となり、各々のバンドパスフィルタ（ＢＰＦ）のフィルタ特性を満たすような設計・調整を行うことが困難となる。
【００１１】
本発明の目的は、並列に接続されたフィルタによる互いの通過特性への影響を抑えた多周波信号重畳・分波方式を提供することにある。
【課題を解決するための手段】
【００１２】
本発明は、多周波信号を同一線路に重畳して伝送するシステムにおいて、ハイパスフィルタ（ＨＰＦ）とローパスフィルタ（ＬＰＦ）を組み合わせたフィルタを用いて多周波信号を重畳・分波することを特徴とする。
【発明の効果】
【００１３】
本発明によれば、並列に接続されたフィルタによる互いの通過特性への影響を抑えた多周波信号の重畳・分波を実現することができる。
【発明を実施するための最良の形態】
【００１４】
本発明による多周波信号重畳・分波方式の実施の形態を図３、多周波信号の通過・減衰量の特性を図７に示す。
【００１５】
本発明は多周波信号の重畳・分波を単純な回路で設計でき、調整も比較的容易であるハイパスフィルタ（ＨＰＦ）とローパスフィルタ（ＬＰＦ）を組み合わせたフィルタを用いて実現する。この重畳・分波方式は信号の伝送損失を考え、伝送損の大きい高い周波数の信号から順に１波ずつ重畳・分波を行うものとする。また、並列に接続されるフィルタを１つのハイパスフィルタ（ＨＰＦ）に対して１つのローパスフィルタ（ＬＰＦ）としフィルタ同士の特性への影響を考慮する。
【００１６】
図３を用いて信号の重畳・分波の各場合についての説明を下記に示す。図中の多周波信号ｆ１，ｆ２，ｆ３，…，ｆｎの周波数の大きさの関係はｆ１≧ｆ２≧ｆ３≧…≧ｆｎとする。
【００１７】
図３において、ＩＤＵ側は、同軸ケーブル１４，２４に並列接続のハイパスフィルタ（ＨＰＦ）５１１およびローパスフィルタ（ＬＰＦ）５１２からなるフィルタ５１と、ローパスフィルタ（ＬＰＦ）５１２に並列接続のハイパスフィルタ（ＨＰＦ）５２１およびローパスフィルタ（ＬＰＦ）５２２からなるフィルタ５２と、ローパスフィルタ（ＬＰＦ）５２２に並列接続のハイパスフィルタ（ＨＰＦ）５３１を含むフィルタ５３と、ローパスフィルタ（ＬＬＰ）５４２を含むフィルタ５４を備える。
【００１８】
図３において、ＯＤＵ側は、同軸ケーブル１４，２４の反対側に並列接続のハイパスフィルタ（ＨＰＦ）６１１およびローパスフィルタ（ＬＰＦ）６１２からなるフィルタ６１と、ローパスフィルタ（ＬＰＦ）６１２に並列接続のハイパスフィルタ（ＨＰＦ）６２１およびローパスフィルタ（ＬＰＦ）６２２からなるフィルタ６２と、ローパスフィルタ（ＬＰＦ）６２２に並列接続のハイパスフィルタ（ＨＰＦ）６３１を含むフィルタ６３と、ローパスフィルタ（ＬＬＰ）６４２を含むフィルタ６４を備える。
【００１９】
まず、同軸ケーブル１４，２４からの多周波信号を分波する場合においては、同軸ケーブル１４，２４からの多周波信号ｆ１，ｆ２，ｆ３，…，ｆｎがＩＤＵ側に伝送してきた場合（ＯＤＵ側の場合も同様）、初めにフィルタ５１のハイパスフィルタ（ＨＰＦ）５１１にて信号ｆ１が分波され、それ以外の低い周波数の信号ｆ２，ｆ３，…，ｆｎはフィルタ５１のローパスフィルタ（ＬＰＦ）５１２を通過しフィルタ５２に伝送される。
【００２０】
次にフィルタ５２のハイパスフィルタ（ＨＰＦ）にて信号ｆ２が分波され、それ以外の低い周波数の信号ｆ３，…，ｆｎはフィルタ５２のローパスフィルタ（ＬＰＦ）５２２を通過しフィルタ５３に伝送される。このように分波を繰り返しハイパスフィルタ（ＨＰＦ）にて高い周波数の信号を取り出すことで多周波信号の分波を行う。
【００２１】
次に、同軸ケーブル１４，２４に多周波信号を重畳する場合においては、多周波信号ｆ１，ｆ２，ｆ３，…，ｆｎを重畳する場合、各段のローパスフィルタ（ＬＰＦ）にて自己の周波数よりも高い周波数の回り込みを抑えるとともに、それぞれの信号周波数ごとのハイパスフィルタ（ＨＰＦ）を通過させることで、信号に含まれる自己の周波数より低周波域の雑音を除去し、信号の重畳を行う。
【００２２】
以下に実施例１について説明する。実施例１における多周波信号重畳・分波方式を図５に示す。この重畳・分波方式は各周波数ごとにハイパスフィルタ（ＨＰＦ）、ローパスフィルタ（ＬＰＦ）が１つずつ配置されるため、バンドパスフィルタ（ＢＰＦ）と同様のフィルタ特性となる。実施例１における多周波信号の通過・減衰特性は図８に示す。このとき、多周波信号をｆｌ，ｆ２，ｆ３，ｆ４とし、周波数の大きさをｆ１≧ｆ２≧ｆ３≧ｆ４とする。
１．分波
ＩＤＵ側では信号ｆ１とｆ３が分波される。まずフィルタ５１のハイパスフィルタ（ＨＰＦ）５１１にて信号ｆ１が分波される。信号ｆ３は信号ｆ１，ｆ２よりも周波数が低いためフィルタ５１のローパスフィルタ（ＬＰＦ）５１２、フィルタ５２のローパスフィルタ（ＬＰＦ）５２２を通過し自己の通過帯域をもつフィルタ５３のハイパスフィルタ（ＨＰＦ）５３１で分波される。
【００２３】
ＯＤＵ側では信号ｆ２とｆ４が分波される。信号ｆ２はｆ１よりも周波数が低いためフィルタ６１のローパスフィルタ（ＬＰＦ）６１２を通過し自己の通過帯域をもつフィルタ６２のハイパスフィルタ（ＨＰＦ）６２１で分波される。信号ｆ４は最も周波数の低いためフィルタ６１のローパスフィルタ（ＬＰＦ）６１２、フィルタ６２のローパスフィルタ（ＬＰＦ）６２２、フィルタ６４のローパスフィルタ（ＬＰＦ）６４２を通過し、分波される。
２．重畳
ＩＤＵ側では信号ｆ２とｆ４が重畳される。信号ｆ２はフィルタ５２のハイパスフィルタ（ＨＰＦ）５２１とフィルタ５１のローパスフィルタ（ＬＰＦ）５１２を通過し、同軸ケーブル１４，２４に重畳される。このとき、信号ｆ２の周波数が信号ｆ１より低く、信号ｆ３より高いためフィルタ５１のハイパスフィルタ（ＨＰＦ）５１１、フィルタ５２のローパスフィルタ（ＬＰＦ）５２２により回り込みが防止される。
【００２４】
信号ｆ４は最も周波数が低いためフィルタ５１のハイパスフィルタ（ＨＰＦ）５１１、フィルタ５２のハイパスフィルタ（ＨＰＦ）５２１、フィルタ５３のハイパスフィルタ（ＨＰＦ）５３１により回り込みが防止されるためフィルタ５４のローパスフィルタ（ＬＰＦ）５４２、フィルタ５２のローパスフィルタ（ＬＰＦ）５２２、フィルタ５１のローパスフィルタ（ＬＰＦ）５１２を通過し同軸ケーブル１４，２４に重畳される。
【００２５】
ＯＤＵ側では信号ｆ１とｆ３が重畳される。信号ｆｌは最も周波数が高いためフィルタ５１のローパスフィルタ（ＬＰＦ）５１２にて回り込みが防止され、フィルタ６１のハイパスフィルタ（ＨＰＦ）６１１を通過後、同軸ケーブル１４，２４に重畳される。
【００２６】
信号ｆ３はフィルタ６１のハイパスフィルタ（ＨＰＦ）６１１、フィルタ６２のハイパスフィルタ（ＨＰＦ）６２１とフィルタ６４のローパスフィルタ（ＬＰＦ）６２４により回り込みが防止されるためフィルタ６３のハイパスフィルタ（ＨＰＦ）６３１とフィルタ６２のローパスフィルタ（ＬＰＦ）６２２、フィルタ６１のローパスフィルタ（ＬＰＦ）６１２を通過し同軸ケーブル１４，２４に重畳される。
【００２７】
次に、実施例２について説明する。実施例２における多周波信号の重畳・分波方式を図６に示す。この重畳・分波方式は実施例１と同様に各周波数ごとにハイパスフィルタ（ＨＰＦ）、ローパスフィルタ（ＬＰＦ）が１つずつ配置する構成となっているが、信号の入出力部にバンドパスフィルタ（ＢＰＦ）７１１，７１２，７１３，７１４，８１１，８１２，８１３，８１４を設置することでより急峻なカットオフ周波数を設定することができる。
【００２８】
実施例２における多周波信号の通過・減衰特性を図９に示す。図中の破線がＨＰＦとＬＰＦのみの通過・減衰特性の例、実線がＢＰＦの通過・減衰特性である。このとき、多周波信号をｆｌ，ｆ２，ｆ３，ｆ４とし、周波数の大きさをｆ１≧ｆ２≧ｆ３≧ｆ４とする。
１．分波
ＩＤＵ側では信号ｆ１とｆ３が分波される。まずフィルタ５１のハイパスフィルタ（ＨＰＦ）５１１にて信号ｆ１が分波される。信号ｆ３は信号ｆ１，ｆ２よりも周波数が低いためフィルタ５１のローパスフィルタ（ＬＰＦ）５１２、フィルタ５２のローパスフィルタ（ＬＰＦ）５２２を通過し自己の通過帯域をもつフィルタ５３のハイパスフィルタ（ＨＰＦ）５３１で分波される。
【００２９】
ＯＤＵ側では信号ｆ２とｆ４が分波される。信号ｆ２はｆ１よりも周波数が低いためフィルタ６１のローパスフィルタ（ＬＰＦ）６１２を通過し自己の通過帯域をもつフィルタ６２のハイパスフィルタ（ＨＰＦ）６２１で分波される。信号ｆ４は最も周波数の低いためフィルタ６１のローパスフィルタ（ＬＰＦ）６１２、フィルタ６２のローパスフィルタ（ＬＰＦ）６２２、フィルタ６４のローパスフィルタ（ＬＰＦ）６４２を通過し、分波される。
２．重畳
ＩＤＵ側では信号ｆ２とｆ４が重畳される。信号ｆ２はフィルタ５２のハイパスフィルタ（ＨＰＦ）５２１とフィルタ５１のローパスフィルタ（ＬＰＦ）５１２を通過し、同軸ケーブル１４，２４に重畳される。このとき、信号ｆ２の周波数が信号ｆ１より低く、信号ｆ３より高いためフィルタ５１のハイパスフィルタ（ＨＰＦ）５１１、フィルタ５２のローパスフィルタ（ＬＰＦ）５２２により回り込みが防止される。
【００３０】
信号ｆ４は最も周波数が低いためフィルタ５１のハイパスフィルタ（ＨＰＦ）５１１、フィルタ５２のハイパスフィルタ（ＨＰＦ）５２１、フィルタ５３のハイパスフィルタ（ＨＰＦ）５３１により回り込みが防止されるためフィルタ５４のローパスフィルタ（ＬＰＦ）５４２、フィルタ５２のローパスフィルタ（ＬＰＦ）５２２、フィルタ５１のローパスフィルタ（ＬＰＦ）５１２を通過し同軸ケーブル１４，２４に重畳される。
【００３１】
ＯＤＵ側では信号ｆ１とｆ３が重畳される。信号ｆｌは最も周波数が高いためフィルタ５１のローパスフィルタ（ＬＰＦ）５１２にて回り込みが防止され、フィルタ６１のハイパスフィルタ（ＨＰＦ）６１１を通過後、同軸ケーブル１４，２４に重畳される。
【００３２】
信号ｆ３はフィルタ６１のハイパスフィルタ（ＨＰＦ）６１１、フィルタ６２のハイパスフィルタ（ＨＰＦ）６２１とフィルタ６４のローパスフィルタ（ＬＰＦ）６２４により回り込みが防止されるためフィルタ６３のハイパスフィルタ（ＨＰＦ）６３１とフィルタ６２のローパスフィルタ（ＬＰＦ）６２２、フィルタ６１のローパスフィルタ（ＬＰＦ）６１２を通過し同軸ケーブル１４，２４に重畳される。
【図面の簡単な説明】
【００３３】
【図１】１８ＧＨｚ無線アクセス装置の構成図である。
【図２】図１における多周波信号重畳・分波方式を示す図である。
【図３】本発明による多周波信号重畳・分波方式の実施の形態の図である。
【図４】従来の多周波信号重畳・分波方式の図である。
【図５】実施例１における多周波信号重畳・分波方式の図である。
【図６】実施例２における多周波信号重畳・分波方式の図である。
【図７】本発明による多周波信号通過・減衰特性の図である。
【図８】実施例１における多周波信号の通過・減衰特性の図である。
【図９】実施例２における多周波信号の通過・減衰特性の図である。
【符号の説明】
【００３４】
１０：第１送受信装置、１１：ＯＤＵ（屋外装置）、１１ａ：ＲＦ部、１１ｂ：ＩＦ部、１１ｃ：制御部、１２：パラボラアンテナ、１３：ＩＤＵ（屋内装置）、１３ａ：電源部、１３ｂ：ＩＦ部、１３ｃ：制御部、１４：同軸ケーブル、２０：第１送受信装置、２１：ＯＤＵ（屋外装置）、２１ａ：ＲＦ部、２１ｂ：ＩＦ部、２１ｃ：制御部、２２：パラボラアンテナ、２３：ＩＤＵ（屋内装置）、２３ａ：電源部、２３ｂ：ＩＦ部、２３ｃ：制御部、２４：同軸ケーブル、３０：重畳・分波フィルタ、４１，４２，４３，…，４ｎ：バンドパスフィルタ（ＢＰＦ）、５１，５２，５３，５４，６１，６２，６３，６４：フィルタ、５１１，５２１，５３１，６１１，６２１，６３１：ハイパスフィルタ（ＨＰＦ）、５１２，５２２，５４２，６１２，６２２，６４２：ローパスフィルタ（ＬＰＦ）、７１１，７１２，７１３，７１４，８１１，８１２，８１３，８１４：バンドパスフィルタ（ＢＰＦ）。
【図１】
2007259180.tif 000003
【図２】
2007259180.tif 000004
【図３】
2007259180.tif 000005
【図４】
2007259180.tif 000006
【図５】
2007259180.tif 000007
【図６】
2007259180.tif 000008
【図７】
2007259180.tif 000009
【図８】
2007259180.tif 000010
【図９】
2007259180.tif 000011